(57)【要約】【課題】楽器や音声記録媒体等についての音響効果を改善する。【解決手段】楽器や音声記録媒体等に対して自発分極を有する粉体と、前記自発分極を有する粉体がマイナスイオンを発生させるように励起する励起剤の粉体とを混合して含有させた繊維等を接触させて、楽器や音声記録媒体等の音響効果を改善する。例えば、楽器収納容器１外郭の内張り材料の少なくとも一部に用いたり、楽器収納容器１内に配設する楽器保護具としての楽器固定材４、緩衝材５、包装材の少なくとも一部に用いたりすることにより、楽器や音声記録媒体等についての音響効果を改善する。【選択図】      図１
2004245974.tif 000002
【特許請求の範囲】
【請求項１】
自発分極を有する粉体と、前記自発分極を有する粉体がマイナスイオンを発生させるように励起する励起剤の粉体とを混合して含有させた繊維を、楽器収納容器外郭の内張り材料の少なくとも一部に用いたことを特徴とする音響改善器具。
【請求項２】
自発分極を有する粉体と、前記自発分極を有する粉体がマイナスイオンを発生させるように励起する励起剤の粉体とを混合して含有させた繊維を、楽器収納容器内に配設する楽器保護具としての楽器固定材、緩衝材、包装材の少なくとも一部に用いたことを特徴とする音響改善器具。
【請求項３】
自発分極を有する粉体と、前記自発分極を有する粉体がマイナスイオンを発生させるように励起する励起剤の粉体とを混合して含有させた繊維を、楽器カバーの布地の少なくとも一部に用いたことを特徴とする音響改善器具。
【請求項４】
自発分極を有する粉体と、前記自発分極を有する粉体がマイナスイオンを発生させるように励起する励起剤の粉体とを混合して含有させた繊維を、少なくとも一部に使用した布地を、密閉空間内において加熱して音声映像記録媒体の音響画質改善を図ることを特徴とする音響改善器具。
【請求項５】
自発分極を有する粉体と、前記自発分極を有する粉体がマイナスイオンを発生させるように励起する励起剤の粉体とを混合してなる自発分極混合粉体を、箱体内に配設したことを特徴とする音響機器。
【請求項６】
前記自発分極混合粉体を、箱体の内面に配設したスピーカーボックスであることを特徴とする請求項５記載の音響機器。
【請求項７】
自発分極を有する粉体と、前記自発分極を有する粉体がマイナスイオンを発生させるように励起する励起剤の粉体とを混合してなる自発分極混合粉体、または自発分極を有する粉体と前記自発分極を有する粉体がマイナスイオンを発生させるように励起する励起剤の粉体とを混合して含有させた繊維を、スピーカーボックスの箱体内部に設置される吸音材に含有させたことを特徴とする音響機器。
【請求項８】
自発分極を有する粉体と、前記自発分極を有する粉体がマイナスイオンを発生させるように励起する励起剤の粉体とを混合して含有させた繊維からなる布地を、スピーカーボックスの前面カバーとして用いたことを特徴とする音響機器。
【請求項９】
自発分極を有する粉体と、前記自発分極を有する粉体がマイナスイオンを発生させるように励起する励起剤の粉体とを混合して含有させた繊維からなる布状物、または自発分極を有する粉体と前記自発分極を有する粉体がマイナスイオンを発生させるように励起する励起剤の粉体とを混合してなる自発分極混合粉体を、ヘッドフォンのイヤーパッドまたはハウジングの内側に配設したことを特徴とする音響機器。
【請求項１０】
自発分極を有する粉体と、前記自発分極を有する粉体がマイナスイオンを発生させるように励起する励起剤の粉体とを混合して含有させた繊維からなる布地で音声記録媒体の載置具を形成して既存の収納容器内に配置し、着脱可能なシートとしたことを特徴とする音響改善器具。
【請求項１１】
自発分極を有する粉体と、前記自発分極を有する粉体がマイナスイオンを発生させるように励起する励起剤の粉体とを混合してなる自発分極混合粉体を樹脂に混練し、音声記録媒体の支持具として成形して容器内に配設した音声記録媒体収納容器であることを特徴とする音響改善器具。
【請求項１２】
自発分極を有する粉体と、前記自発分極を有する粉体がマイナスイオンを発生させるように励起する励起剤の粉体とを混合して含有させた繊維を少なくとも一部に使用した糸状物を、電気導体と外皮との間に配設したことを特徴とする音響改善ケーブル。
【請求項１３】
自発分極を有する粉体と、前記自発分極を有する粉体がマイナスイオンを発生させるように励起する励起剤の粉体とを混合してなる自発分極混合粉体を含有させた樹脂を、電気導体と外皮との間に配設したことを特徴とする音響改善ケーブル。
【請求項１４】
自発分極を有する粉体と、前記自発分極を有する粉体がマイナスイオンを発生させるように励起する励起剤の粉体とを混合してなる自発分極混合粉体を含有させた樹脂を外部被覆材としたことを特徴とする音響改善ケーブル。
【請求項１５】
自発分極を有する粉体と、前記自発分極を有する粉体がマイナスイオンを発生させるように励起する励起剤の粉体とを混合して含有させた繊維を少なくとも一部に使用した糸、または自発分極を有する粉体と、前記自発分極を有する粉体がマイナスイオンを発生させるように励起する励起剤の粉体とを混合してなる自発分極混合粉体を含有させた樹脂からなるチューブ状織布を外皮としたことを特徴とする音響改善ケーブル。
【請求項１６】
自発分極を有する粉体と、前記自発分極を有する粉体がマイナスイオンを発生させるように励起する励起剤の粉体とを混合して含有させた繊維を少なくとも一部に使用した布地で、椅子の座面および背もたれ又は座面若しくは背もたれを覆ったことを特徴とする音響改善器具。
【請求項１７】
自発分極を有する粉体と、前記自発分極を有する粉体がマイナスイオンを発生させるように励起する励起剤の粉体とを混合してなる自発分極混合粉体を、椅子の座面および背もたれ又は座面若しくは背もたれのクッションに含有させたことを特徴とする音響改善器具。
【請求項１８】
自発分極を有する粉体と、前記自発分極を有する粉体がマイナスイオンを発生させるように励起する励起剤の粉体とを混合して含有させた繊維を少なくとも一部に使用した布地で、椅子の座面および背もたれ又は座面若しくは背もたれを覆う椅子カバーであることを特徴とする音響改善器具。
【発明の詳細な説明】
【０００１】
【発明の属する技術分野】
本発明は、楽器、電気音響機器、音声映像記録媒体等の音響効果を改善する音響改善器具および音響機器並びに音響改善ケーブルに関する。
【０００２】
【従来の技術】
従来、楽器の収納用ケースやカバーは、楽器の保護を目的としており、楽器の音質改善効果をもたらすものは存在しなかった。
【０００３】
また、ＣＤ等の音声記録媒体の音質改善をうたった装置として、消磁器、帯磁器、静電気除去装置、紫外線照射器、直流高電圧放射器等が存在するが、それらは記録されている音源マスターの音質に近づけるという本来の音質改善ではなく、ある特有の変質した音色変化をもたらすものであったり、本来の音質改善であっても、その効果の持続性や程度が少ないものであった。
【０００４】
それに加えて、ＣＤ等の盤面を保護するシートや保存ケース等については、音響改善を目的としたものは存在しなかった。そして、ＣＤ盤自体に着色剤を塗布したり、シール状の膜を貼付するという方法も考案されているが、これらの音響改善効果は微小であり、外観を変化させてしまうものであることから、一般には好ましい方法ではない。
【０００５】
さらに、音響機器接続用ケーブルについては、ケーブル内外からのノイズ対策や電磁波対策を目的としたものは存在するが、単純な構造と安価な方法で電気信号自体に積極的な音響改善を図ったものはなかった。また、ケーブルの制振材についても、ケーブル内外からの振動を吸収、緩和するものであり、綿、絹、麻等の繊維や合成樹脂、油脂類が使われているが、電気信号の積極的改善を図るものではなかった。
【０００６】
一方、トルマリン等の自発分極を有する物質が発生するマイナスイオンを利用して水質浄化を行う装置や空気環境を改善して健康増進を図る装置、さらに、美容効果を得る装置などについては、従来から種々の提案がなされている。
【０００７】
そして、トルマリン等の自発分極を有する物質であっても、常温静置状態におけるマイナスイオン発生量は決して多くないことから、常温においてもマイナスイオン発生量が多くなるようトルマリンに極微量の放射線を放出して励起する励起剤を加えた粉体が提案されている。もっとも、放射線を放出する励起剤といっても、これらの励起剤はデービド鉱、ブランネル石等の天然鉱石であり、量的観点から人体に害を及ぼすほどのものではない。
【０００８】
また、放射線の放射線量をより抑えた励起剤として、ジルコニウム化合物の粉体をトルマリン粉体と混合して用いる方法が提案されている。しかし、これらの混合物を用いた粉体、繊維、布状物等の用途は、健康増進や生活環境の快適化を目的としたものであり、音響改善を図ることを目的とした応用はなかった。
【０００９】
【特許文献１】
特開２００１−１９４２０号公報
【特許文献２】
特開２００１−２０１５１号公報
【特許文献３】
特開２００２−２８５４７８号公報
【００１０】
【発明が解決しようとする課題】
従来からバイオリンやトランペット等の楽器を収納して運搬するための楽器収納容器には種々のものがある。また、これらの楽器収納容器は、バイオリンやトランペットを収納するための専用容器として製作されていることから、収納容器の内部には楽器の形状に対応した形状を有する移動制限材や緩衝材を具備している。しかし、従来の楽器収納容器の移動制限材や緩衝材は、あくまでも楽器本体の保護や汚れ防止を図ることを目的としており、音響効果の改善はまったく期待できない。
【００１１】
また、静電気の帯電防止や汚れ防止を目的としたクロス等は存在するが、これらについても音響効果の改善を図ることは意図されていなかった。さらに、防湿や除湿を目的とした添付用品カバー等も市販されているが、これらも音響改善を企図したものではなかった。
【００１２】
さらに、ＣＤ等の音声記録媒体やビデオテープ等の映像記録媒体自体の音質や画質を改善したいという要請はあったが、この要請に満足に応えることができる器具はなかった。
【００１３】
また、音響品質を確保するうえで重要な機器であるスピーカについては、高忠実再生を実現するべく高価なスピーカは存在するが、安価で高忠実再生を実現するスピーカは存在しなかった。また、スピーカと同様に音響品質を確保するうえで重要な機器であるアンプ等の音響機器についても、高忠実再生を実現するべく高価な機器は存在するが、安価で高忠実再生を実現する機器は存在しなかった。
【００１４】
さらに、音響機器相互間または音響機器と電源を接続するケーブルについても、耐ノイズ特性を向上させたシールドケーブルや周波数特性を向上させた高価なケーブルは各種のものが存在するが、安価で高忠実再生を実現するケーブルは存在しなかった。
【００１５】
また、従来から劇場やコンサートホールの建設に際しては、音の反響等を考慮した設計がなされており、座席配置や座席の形状についてもある程度は音響効果を配慮した設計がなされていた。しかし、観客用椅子にしても演奏者用椅子にしても椅子は「座り心地」の良さを追求したものがほとんどであった。また、音響特性を考慮したものはあっても、それは吸音や反射等の特性から設計、選択されたものに過ぎなかった。また、音響空間の環境改善を目的とした場合、ある程度の空調設備を作動させなければならず、それらの運転音は、たとえ微弱なものであっても、本来完全な静音を求められるはずの場所にあっては、その妨げとなっていた。
【００１６】
本発明は上記した諸事情を考慮してなされたものであり、比較的簡単な部材や器具を用いて楽器、音声映像記録媒体、音響機器、ケーブル等の音響効果の改善を図ることを目的とする。
【００１７】
【課題を解決するための手段】
本発明の請求項１の音響改善器具は、自発分極を有する粉体と、前記自発分極を有する粉体がマイナスイオンを発生させるように励起する励起剤の粉体とを混合して含有させた繊維を楽器収納容器外郭の内張り材料の少なくとも一部に用いたので、楽器収納容器に楽器を保管している間にマイナスイオンが楽器に作用して、楽器の音響効果を改善することができる。
【００１８】
本発明の請求項２の音響改善器具は、自発分極を有する粉体と、前記自発分極を有する粉体がマイナスイオンを発生させるように励起する励起剤の粉体とを混合して含有させた繊維を、楽器収納容器内に配設する楽器保護具としての楽器固定材、緩衝材、包装材等の少なくとも一部に用いたことから、楽器収納容器に楽器を保管している間にマイナスイオンが楽器に作用して、楽器の音量が増大し、音質の雑味感も減少する。
【００１９】
本発明の請求項３の音響改善器具は、自発分極を有する粉体と、前記自発分極を有する粉体がマイナスイオンを発生させるように励起する励起剤の粉体とを混合して含有させた繊維を、楽器カバーの布地の少なくとも一部に用いたことから、楽器を楽器カバーで覆っている間にマイナスイオンが楽器に作用して、楽器の音響効果を改善することができる。
【００２０】
本発明の請求項４の音響改善器具は、自発分極を有する粉体と、前記自発分極を有する粉体がマイナスイオンを発生させるように励起する励起剤の粉体とを混合して含有させた繊維を、少なくとも一部に使用した布地を、密閉空間内において加熱して音声映像記録媒体の音響画質改善を図ることとしたので、短時間に音声映像記録媒体等の音響画質改善を図ることができる。
【００２１】
本発明の請求項５の音響機器は、自発分極を有する粉体と、前記自発分極を有する粉体がマイナスイオンを発生させるように励起する励起剤の粉体とを混合してなる自発分極混合粉体を、箱体内に配設した音響機器であるので、音響機器のＳ／Ｎ比が向上し、且つダイナミックレンジの拡大および周波数レンジの拡大が図られる。したがって、聴感上の改善が図られる。
【００２２】
本発明の請求項６の音響機器は、自発分極を有する粉体と、前記自発分極を有する粉体がマイナスイオンを発生させるように励起する励起剤の粉体とを混合してなる自発分極混合粉体を、箱体の内面に配設したスピーカーボックスであるので、音声再生時のＳ／Ｎ比が向上し、且つダイナミックレンジの拡大および周波数レンジの拡大が図られる。したがって、聴感上の改善が図られる。
【００２３】
本発明の請求項７の音響機器は、自発分極を有する粉体と、前記自発分極を有する粉体がマイナスイオンを発生させるように励起する励起剤の粉体とを混合してなる自発分極混合粉体、または自発分極を有する粉体と前記自発分極を有する粉体がマイナスイオンを発生させるように励起する励起剤の粉体とを混合して含有させた繊維を、スピーカーボックスの箱体内部に設置される吸音材に含有させたので、音声再生時のＳ／Ｎ比が向上し、且つダイナミックレンジの拡大および周波数レンジの拡大が図られる。したがって、聴感上の改善が図られる。
【００２４】
本発明の請求項８の音響機器は、自発分極を有する粉体と、前記自発分極を有する粉体がマイナスイオンを発生させるように励起する励起剤の粉体とを混合して含有させた繊維からなる布地を、スピーカーボックスの前面カバーに用いたので、音声再生時のＳ／Ｎ比が向上し、且つダイナミックレンジの拡大および周波数レンジの拡大が図られる。したがって、聴感上の改善が図られる。
【００２５】
本発明の請求項９の音響機器は、自発分極を有する粉体と、前記自発分極を有する粉体がマイナスイオンを発生させるように励起する励起剤の粉体とを混合して含有させた繊維からなる布状物、または自発分極を有する粉体と前記自発分極を有する粉体がマイナスイオンを発生させるように励起する励起剤の粉体とを混合してなる自発分極混合粉体を、ヘッドフォンのイヤーパッドまたはハウジングの内側に配設したので、ヘッドフォン使用時のＳ／Ｎ比が向上し、且つダイナミックレンジの拡大および周波数レンジの拡大が図られる。したがって、聴感上の改善が図られる。
【００２６】
本発明の請求項１０の音響改善器具は、自発分極を有する粉体と、前記自発分極を有する粉体がマイナスイオンを発生させるように励起する励起剤の粉体とを混合して含有させた繊維からなる布地で音声映像記録媒体の載置具を形成して既存の収納容器内に配置し、着脱可能なシートとしたことから、音声映像記録媒体を収納容器内に保管している間にマイナスイオンが音声映像記録媒体に作用して音声映像記録媒体の音響効果を改善するとことができる。
【００２７】
本発明の請求項１１の音響改善器具は、自発分極を有する粉体と、前記自発分極を有する粉体がマイナスイオンを発生させるように励起する励起剤の粉体とを混合してなる自発分極混合粉体を樹脂に混錬し、音声映像記録媒体の支持具として形成して容器内に配置した音声映像記録媒体収納容器であるので、音声映像記録媒体を収納容器内に保管している間にマイナスイオンが音声映像記録媒体に作用して音声映像記録媒体の音響効果を改善するとことができる。
【００２８】
本発明の請求項１２の音響改善ケーブルは、自発分極を有する粉体と、前記自発分極を有する粉体がマイナスイオンを発生させるように励起する励起剤の粉体とを混合して含有させた繊維を少なくとも一部に使用した糸状物を、電気導体と外皮との間に配設したので、音声信号等をより忠実に伝送することができる。
【００２９】
本発明の請求項１３の音響改善ケーブルは、自発分極を有する粉体と、前記自発分極を有する粉体がマイナスイオンを発生させるように励起する励起剤の粉体とを混合してなる自発分極混合粉体を含有させた樹脂を、電気導体と外皮との間に配設したので、音声信号等をより忠実に伝送することができる。
【００３０】
本発明の請求項１４の音響改善ケーブルは、自発分極を有する粉体と、前記自発分極を有する粉体がマイナスイオンを発生させるように励起する励起剤の粉体とを混合してなる自発分極混合粉体を含有させた樹脂を外部被覆材としたので、音声信号等をより忠実に伝送することができる。
【００３１】
本発明の請求項１５の音響改善ケーブルは、自発分極を有する粉体と、前記自発分極を有する粉体がマイナスイオンを発生させるように励起する励起剤の粉体とを混合して含有させた繊維を少なくとも一部に使用した糸、または自発分極を有する粉体と、前記自発分極を有する粉体がマイナスイオンを発生させるように励起する励起剤の粉体とを混合してなる自発分極混合粉体を含有させた樹脂からなるチューブ状織布を外皮としたので、音声信号等をより忠実に伝送することができる。
【００３２】
本発明の請求項１６の音響改善器具は、自発分極を有する粉体と、前記自発分極を有する粉体がマイナスイオンを発生させるように励起する励起剤の粉体とを混合して含有させた繊維を少なくとも一部に使用した布地で、椅子の座面および背もたれ又は座面若しくは背もたれを覆ったので、椅子の表面から出るマイナスイオンにより音の伝播環境が良好となり、音響空間について聴感上の改善が図られる。
【００３３】
本発明の請求項１７の音響改善器具は、自発分極を有する粉体と、前記自発分極を有する粉体がマイナスイオンを発生させるように励起する励起剤の粉体とを混合してなる自発分極混合粉体を、椅子の座面および背もたれ又は座面若しくは背もたれのクッションに含有させたので、該クッションから出るマイナスイオンにより音の伝播環境が良好となり、音響空間について聴感上の改善が図られる。
【００３４】
本発明の請求項１８の音響改善器具は、自発分極を有する粉体と、前記自発分極を有する粉体がマイナスイオンを発生させるように励起する励起剤の粉体とを混合して含有させた繊維を少なくとも一部に使用した布地で、椅子の座面および背もたれ又は座面若しくは背もたれを覆う椅子カバーとしたので、この椅子カバー表面から出るマイナスイオンにより音の伝播環境が良好となり、音響空間について聴感上の改善が図られる。
【００３５】
【発明の実施の形態】
以下、本発明の実施例について図１〜図２４に基づいて説明する。最初に本発明に使用する自発分極を有する材料としてのトルマリンについて簡単に説明する。図２４に示すように、鉱物としてのトルマリン１０１は、先の尖った方がプラス極１０２、平らな方がマイナス極１０３に分極している。粒子径が３μｍ程度になると結晶表面に電気的中和がなければ、プラス極１０２からマイナス極１０３に向かって１０の４乗Ｖ／ｍ〜１０の７乗Ｖ／ｍの電界が発生する。通常は、トルマリン１０１の表面は電気的中和のためにイオンが吸着していると思われるが、トルマリン１０１の中を励起剤１０５から放出された放射線１０４が通過したり、トルマリン１０７の表面近くを励起剤１０５から放出された放射線１１０が通過するとき、放射線１０４によってトルマリン１０１結晶内の電界が乱れ、結果としてトルマリン１０１結晶の表面でイオンを発生したり、励起剤１０５からの放射線１１０がイオンを発生しながらトルマリン１０７の極近くを通過することで、トルマリン１０７の表面の電気的中和条件が乱れてイオンが発生すると考えられている。本発明に用いる粉体や繊維等は、このような原理に基づいてトルマリンと励起剤の微粉末を混合して含有させ、マイナスイオンを発生させるものである。
【００３６】
なお、励起剤のうち放射線を放出する粉体としては、放射線を放出する天然鉱石であるデービド鉱、ブランネル石、センウラン鉱、ニンギョウ石、リンカイウラン石、カルノー石、ツャムン石、メタチャムン石、フランセビル石、トール石、コフィン石、サマルスキー石、トリウム石、トロゴム石、モズナ石等があり、これらの微粉末あるいはこれらを一部含む鉱石の微粉末をシリカなどに混合して焼結後再び微粉末にしたものを放射線を放出する粉体として用いる。また、励起剤には、放射線量をより抑えたものでジルコニウム化合物の粉体を用いることができる。
【００３７】
図１は本発明の第１実施例によるバイオリン収納容器１であり、蓋３を開いた状態の外観図を示している。収納容器１は容器本体２と蓋３からなり、容器本体２および蓋３の外郭は木材若しくは金属又はプラスチックで製作され、運搬時においてもバイオリンが容器内において移動しないよう容器本体２の内部には、楽器の形状に則した楽器固定材４、緩衝材５、包装材等が適宜配設される。
【００３８】
本実施例の特徴は容器本体２の内面２ａや蓋３の内面の布地３ａ、さらにバイオリンを固定するための楽器固定材４などの表面の布地を、自発分極を有する粉体と、前記自発分極を有する粉体がマイナスイオンを発生するように励起する励起剤の粉体とを混合して含有させた繊維で混紡したことである。
【００３９】
この繊維を４０％〜６０％の割合で綿、絹、ポリエステル、レーヨン、キュプラ、アセテート、ナイロン、アクリル等の繊維と混紡した糸を用いて織布としたものを、各楽器の形状に合せて凹凸に作られた楽器ケース１の内部の内張りとする。ここで用いる織布は、楽器との接触面積が大きいほど効果が高く、そのため「けば」の立った起毛状の布地がよい。もっとも望ましくは、ベルベット（ビロード）であり、毛経、地経、地緯ともに、この混紡糸を使うことが最適であるが、毛経のみにこの混紡糸を使ってもよい。また、トロンボーン、チューバ等の大型金管楽器用には、内張り用織布としてボア等のより毛足の長い布地を使うこともできる。この場合、立てるパイルの糸をこの混紡糸にするとよい。
【００４０】
管楽器にあっては、吹奏後に管内部に水分が残りやすく、ケース内部の湿度が常に高くなっており、これに伴う細菌類の繁殖から不衛生な状態に置かれ、異臭を放つ場合もある。その点、この混合粉体からなる繊維は消臭効果をも有しており、その使用のみでも防臭対策となるが、より高い効果を望む場合には布地の地経や地緯の糸に抗菌剤を含有させるか銀糸等を使ってもよい。
【００４１】
本実施例によれば、トルマリンと励起剤を含んだ繊維が楽器を収納容器１に保管している期間にも楽器に接触してマイナスイオンを発生することから、楽器を収納容器１から取出して演奏すると楽器の音色が聴感上望ましいものとなる。その他にも下記に述べるような特有の効果を奏する。
【００４２】
本実施例による楽器収納容器１に収納した楽器により演奏すると、楽器の音量が増大する一方、音質の雑味感は減少する。また、演奏時において発音時の瞬間の音の立ち上がり速度が速くなる一方、音の余音は長くなる。また、楽器が管楽器である場合、同一演奏者であっても吹奏可能な上限音域が上方に拡がることもある。さらに、管楽器では演奏者による個人差はあるものの、通常であれば最適演奏が可能な状態に至るまで、ある程度の「ウォームアップ」と慣習上呼ばれている「慣らし吹き」が必要であるが、本実施例によれば、このような「慣らし吹き」の時間が著しく短縮される。
【００４３】
また、楽器が木材、金属、合成樹脂を主材料としている場合には、以上述べた効果が顕著に現れる。もっとも、音質の良し悪しはあくまでも人間の聴感上の感覚で捉えられるということを前提にしており、ある程度の個人差があることは否定できない。ただし、静電気による帯電が防止され、埃が付着し難くなることや表面の汚れを容易に除去できることは客観的にも確認できるところである。
【００４４】
図２は本発明の第２実施例による楽器カバーを示したものであり、グランドピアノ６全体を覆うピアノカバー７である。ピアノカバー７は表布地と裏布地を縫い合わせたものであり、たとえば表布地にはサテンなどの布地が、裏布地には不織布、フェルト、メルトル、ベロア、ベルベットなどの布地が用いられる。本実施例はこのピアノカバー７の裏布地として、又は裏布地と併せて、自発分極を有する粉体と、前記自発分極を有する粉体がマイナスイオンを発生させるように励起する励起剤の粉体とを混合して含有させた繊維を４０％程度混合したポリエステルの不織布を用いたものである。
【００４５】
本実施例によれば、トルマリンと励起剤を含んだ布地がピアノ６の上面及び側面を覆うことになり、ピアノ６を演奏しない時期においてもマイナスイオンが発生してピアノ６に作用することから、ピアノカバー７を取り外してピアノ６を演奏する段階になると第１実施例と同様の効果を奏し、ピアノ６の音色の雑味感が減り、抜けのよい、より表現力の豊かな音質になり、音量感も増してくる。
【００４６】
また、本実施例による楽器カバー７をピアノ６に適用して数日以上の期間が経過すると、鍵盤の機械的応答速度が向上して「連打奏法」等が容易になるなど演奏技術に対する反応が敏感になる。以下に本実施例による楽器カバーをピアノに適用した評価試験結果について説明する。
【００４７】
評価試験にはピアノ用のオールカバーの内張りの全面に本発明による布地を施したものを使用した。そしてピアノに装着する前後における同一演奏者の指の動きに対する鍵盤の機械的応答速度の変化を測定した。演奏者であるピアニストは４０歳代の日本人女性である。また、評価試験に用いたピアノは国産のフルコンサートグランドピアノである。
【００４８】
本評価試験方法では、同一鍵盤上での速い連打において、一音ずつが明瞭に発音されるか否かということでアクション（打弦の機械的機構）の応答性能をある程度知ることができる。ここでは、被験者に１回のテストで図３に示す音符パターンを１セットとし、約１０秒間の間隔で１０セットの試験を行った。なお、被験者の学習効果を排除すべく、事前に同一ピアノを用いて充分に練習を行わせ、その上で予備テストを８回実施した。その結果、当該被験者の予備テストでの得点誤差は±８点であり、８回の平均得点は６１点であった。
【００４９】
なお、得点は図４に示す４連打の各音すべてが明瞭に発音された場合を１点、４音のうち１音でも明瞭でない発音があった場合を０点として評価し、１セット１０点満点として評価した。そして１０セットを連続してテストを行い、１００点満点で採点した。
【００５０】
また、試験はつぎの各条件下で４回実施した。
第１回  本実施例によるカバー装着前
第２回  本実施例によるカバー装着後１時間経過時
第３回  本実施例によるカバー装着後２４時間経過時
第４回  本実施例によるカバー装着後７日経過時
なお、上記４回のテスト時における室温は２１〜２２℃、湿度は４８〜５０％であった。その結果、得点は第１回目が６２点、第２回目が５９点、第３回目が７３点、第４回目が９７点であった。以上の結果から、第１回目から第３回目にかけての得点変化は誤差の範囲内であるともいえる。そして、カバー装着後２４時間程度では効果が薄いことも分かる。しかし、カバー装着後７日間経過した段階では著しい効果があることが分かる。
【００５１】
図５は本発明の第３実施例による鍵盤楽器用キーカバー９を示したものである。本実施例によるキーカバー９も自発分極を有する粉体と、前記自発分極を有する粉体がマイナスイオンを発生させるように励起する励起剤の粉体とを混合して含有させた布地を用いたものである。この布地は混合粉体を含有するポリエステルの原綿４０％〜６０％と羊毛とを混紡してなるフェルトがよい。
【００５２】
本実施例によれば、トルマリンと励起剤を含んだ布地でできたキーカバー９がピアノ等の鍵盤８を上部から覆うことになり、ピアノ等を演奏しない時期においてもマイナスイオンが発生してピアノ等の鍵盤８に作用することから、鍵盤８が清浄に保たれ、汚れが付着し難く、演奏時の鍵盤８の感触を良好な状態に維持することができる。
【００５３】
図６は本発明の第４実施例による音声記録媒体の音響改善器具を示したものである。この音響改善器具１１は、音声記録媒体を載置する容器体１２と開閉蓋１３からなり、容器体１２の内部には後述する図７に示すように熱源となる電気ヒータ２３が備えられ、音声記録媒体を載置する部分１４には、自発分極を有する粉体と、前記自発分極を有する粉体がマイナスイオンを発生させるように励起する励起剤の粉体とを混合して含有させた布地１４が張られている。
【００５４】
また、開閉蓋１３は容器体１２の一辺にヒンジにより開閉自在に取り付けられており、音声記録媒体と接する中央部１５には、容器体と同様、自発分極を有する粉体と、前記自発分極を有する粉体がマイナスイオンを発生させるように励起する励起剤の粉体とを混合して含有させた布地１５が張られている。
【００５５】
さらに、開閉蓋１３にも容器体１２と同様にして熱源となる電気ヒータが備えられており、容器体１２側の載置面１４上にＣＤを置き、開閉蓋１３を閉めるとＣＤは自発分極を有する粉体と、前記自発分極を有する粉体がマイナスイオンを発生させるように励起する励起剤の粉体とを混合して含有させた布地１４、１５間に挟まれて両面同時に加熱される。
【００５６】
なお、図６においては音声映像記録媒体としてのＣＤ、ＣＤ−Ｒ、ＣＤ−ＲＷ、ＣＤ−ＲＯＭ、ＤＶＤ、ＤＶＤ−Ｒ、ＤＶＤ−ＲＷ、ＤＶＤ−ＲＡＭ等の光学式ディスクの音響改善を図るため、載置部はそれらの形状に合わせて直径１２ｃｍの円形としているが、ＬＰレコード等のアナログディスク、レーザーディスク、ＭＤ、ＭＯ、フロッピー（登録商標）等の磁気ディスク、ＤＡＴ、カセットテープ、オープンリールのテープ、ビデオテープ等の磁気テープ等の音響改善を図る場合には、それらの形状に合わせて載置部を作ればよい。
【００５７】
この実施例においては記録媒体の表面温度を４０℃程度で処理するのが効果的である。この程度の温度であれば、電気ヒータの電源を投入して２０秒から４０秒程度で処理を完了することができる。適正な温度を得るにはタイマーによる時間制御でも可能であるが、容器体１２の内部に温度センサを設置して自動的に適正温度を得るようにしてもよい。
【００５８】
本実施例によれば、容器体１２及び開閉蓋１３の内部に収納された電気ヒータ２３に通電するとヒータが発熱して、自発分極を有する粉体と励起剤の粉体とを混合して含有させた布地１４、１５を暖める。一般にトルマリン等、自発分極を有する粉体から発生するマイナスイオンの量は温度が上昇するに従って増加する。したがって、電気ヒータ２３の加熱によりマイナスイオンの発生量が増加することから、自発分極を有する粉体がマイナスイオンを発生させるように励起する励起剤の粉体を混合して含有させた布地１４、１５の間にＣＤ等の音声記録媒体を挟みこんでおくと、短時間のうちに音響改善効果を得ることが出来る。したがって、この装置により処理した音声記録媒体を用いて音声を再生した場合、聴感上の著しい改善が短期間に図られる。なお、図６中の符号１６は電源コードであり、符号１７は起動スイッチを、符号１８はパイロットランプを夫々示している。
【００５９】
図７は図６の中央部の縦断面図である。平板状の断熱材２２の上にヒータ２３を載置し、このヒータ２３の上を銅やアルミニウム等の熱伝導率が良好な素材であって、表面にニッケルや銀等のメッキを施した板材２４で覆ったものである。ここで、ヒータに電熱線を用いた場合、この電熱線から発せられる電磁波の影響を、できるだけＣＤ盤面に与えないようにするため、上述した金属素材でシールドを図ることが望ましい。
【００６０】
このような構成を有する音響改善器具を用いて処理したＣＤは、音声再生時の音色が原音の状態に近くなり、ダイナミックレンジ、Ｓ／Ｎ比、音の分離感が向上し、発音瞬間の音のスピードが速くなる。さらに、周波数レンジも拡大する。
【００６１】
また、音声記録媒体の静電気を低減することができるので、音声記録媒体に埃が付着するのを防止することができる。さらに、自発分極を有する粉体には界面活性作用があるため、いったん付着した汚れであっても容易に除去することができる。
【００６２】
また、ここで用いる布地と音声記録媒体とは非接触であるよりも、密着している方が効果的であるが、接触することによりディスク盤面にキズがつくことのないような布地を使用する必要がある。そして、使用の頻度に応じて布地の汚れが進行した場合には、接触面の布地を容易に交換できるようにしておくとよい。
【００６３】
次に本実施例による発明の効果を具体的に把握すべく、市販されている音楽用ＣＤの同一盤を２枚購入して以下のような評価試験を行った。購入したＣＤは、▲１▼ピアノ伴奏の声楽独唱曲、▲２▼弦楽四重奏曲、▲３▼大編成管弦楽曲、▲４▼打楽器合奏曲、▲５▼フルート独奏曲の５種類である。いずれのＣＤもステレオデジタル録音によるものである。
【００６４】
上記５種類のＣＤについて、先ず購入したままの未処理のＣＤ（以下、ＣＤ：Ａという。）を音楽演奏に関わっている被験者３０人に聴かせ、続いて本実施例の音響改善器具により処理を施したＣＤ（以下、ＣＤ：Ｂという。）を同一被験者に聴かせた。そして、次のア〜カのような６つの項目について質問し、ＣＤ：Ａに比較してＣＤ：Ｂの方が、良くなった場合＋２点、良くなったような気がする場合＋１点、変わらない場合０点、悪くなったような気がする場合−１点、悪くなった場合−２点として評価してもらった。
【００６５】
ア  音の強弱の幅の広がり
イ  低音から高音までの幅の広がり
ウ  各音の明瞭さ
エ  同時に鳴る各音の分離感
オ  複数の奏者の位置関係の捉えやすさ
カ  空間的拡がりなどの雰囲気
図８はこの評価試験の結果を示すものである。本評価試験における最高点は６０点、最低点は−６０点になる筈であるが、いずれの曲のＣＤについても各項目の評価点はプラスの数値であり、この試験結果は本実施例の音響改善器具により処理を施したＣＤ：Ｂが、未処理のＣＤ：Ａより優れていることを示している。しかし、この評価試験方法では、被験者に先入観があることも考えられることから、次に先入観を排除すべく別途以下のような試験を行った。
【００６６】
前記の評価試験と同一の被験者３０人に対してＣＤ：Ａ、ＣＤ：Ｂの順に聴かせた後、ＣＤ：ＡまたはＣＤ：Ｂのいずれであるか明らかにしないＣＤ：Ｘを聴かせ、そのＣＤ：ＸがＣＤ：ＡまたはＣＤ：Ｂのいずれであるか回答してもらった。
【００６７】
図９はこの評価試験結果を示すものである。この結果によれば、いずれの曲のＣＤ：Ｘについても高い正答率が得られており、本実施例の音響改善器具により処理を施したＣＤ：Ｂの方が、明らかに優れた音質改善効果を有していることが確認できる。ただし、その効果が個人差に依存する「好み」の方向への色づけとしてのものではなく、ＣＤソフトの本来あるべき音質のマスターにより近い音質の改善であることに留意する必要がある。そのことについても、別途確認評価試験を行ったが記載は省略する。
【００６８】
次に、本発明の実施例である音響画質改善器具により処理を施したビデオテープの映像画質改善効果についても簡単に説明する。市販の同一ビデオテープ２本を購入し、同一映像を同一機器を用いて同一条件で録画する。そして、同一仕様のビデオデッキ、モニターを２台用意して同時に再生し、２本のビデオテープに、ほぼ同一状態の映像が録画されていることを確認しておく。
【００６９】
その後、２本のビデオテープのうちの１本を本発明の実施例である音響画質改善器具により処理を施す。そして、未処理のビデオテープと処理を施したビデオテープを２台の機器により同時再生して、一般の被験者１４人を対象にして両映像の比較評価を行った。評価方法は未処理のビデオテープに対して処理後のビデオテープが、色の濃さ、コントラスト、輪郭の明確さ、画面全体のノイズ量という４つの項目について良くなったかどうかという観点から評価してもらった。評価点は各項目とも、未処理のビデオテープに対して処理後のビデオテープが、良くなった場合＋２点、良くなったような気がする場合＋１点、変わらない場合０点として点数化した。
【００７０】
被験者１４人による各項目の評価点の合計は、色の濃さが２１点、コントラストが１５点、輪郭の明確さが２４点、画面全体のノイズ量が２６点であった。この評価方法によれば最低点は０点、最高点は２８点となるべきものであるが、上記の評価結果は多くの被験者から見て処理後のビデオテープは、明らかに映像画質の改善が認められることを示している。
【００７１】
図１０は本発明の第５実施例を示すものであり、ＣＤ、ＤＶＤ等のプレーヤー、アンプ等のシャーシ３１の内側３１ａに、自発分極を有する粉体がマイナスイオンを発生させるように励起する励起剤の粉体を混合させたセラミックスの粉体を固着させたものである。
【００７２】
図１１は本発明の第６実施例を示すものであり、スピーカーボックス３４の内面３２に、自発分極を有する粉体がマイナスイオンを発生させるように励起する励起剤の粉体を混合させたセラミックスの粉体を固着させたものである。なお、上記図１０や図１１では、シャーシやスピーカーボックスの内面に、前記セラミックスの粉体を固着させた例を説明したが、固着させる方法として、溶射、焼結などもあり、これらの場合には金属粉体をバインダーとして用いてもよい。また、前記自発分極混合粉体を塗料と混合して塗付してもよい。しかし、固着方法はこれらの手段に限定されることなく、音響機器のシャーシ内側やトランス、コンデンサ、放熱板等の部品類に対して、また、スピーカーボックス内面の板材、ドライバーユニット本体等に対して、前記セラミックス粉体が固着されるどのような方法を講じてもよい。
【００７３】
本発明の第７実施例として、スピーカーボックス３４内部に充填される吸音材に前記自発分極混合粉体を固着したスピーカを挙げることができる。
【００７４】
図１２は本発明の第８実施例を示すものであり、スピーカーボックス３４の前面カバーとしてのジャージークロス３６に、自発分極を有する粉体がマイナスイオンを発生させるように励起する励起剤の粉体を混合して含有させた繊維を混紡した糸を用いたものである。
【００７５】
図１３は本発明の第９実施例を示すものであり、ステレオ等のヘッドフォン３７の内部であってドライバーユニット３９の前部４０に、自発分極を有する粉体がマイナスイオンを発生させるように励起する励起剤の粉体を混合させた粉体を含有する繊維からなる布地を用いたものである。また、ハウジング３８の内壁面３８ａに実施例５と同様にして前記セラミックス粉体を固着させてもよい。
【００７６】
これら第５実施例〜第９実施例によれば、スピーカーボックス内やヘッドフォン内部に、該セラミックスから発生したマイナスイオンが充満することにより、Ｓ／Ｎ比が向上して音声再生時の雑音が低減すると共に、ダイナミックレンジ、周波数レンジも拡大し、低音域および高音域においても歪の少ない再生が可能になる。したがって、聴感上の改善を図ることができる。
【００７７】
図１４は本発明の第１０実施例を示すものであり、ＣＤ等の光学式音声記録媒体の収納ケース４１内の台座トレー４２の上に敷くマット４４に自発分極を有する粉体がマイナスイオンを発生させるように励起する励起剤の粉体を混合させた粉体を含有する繊維からなる布地を用いたものである。ここで用いられる布地は、前記粉体を含有させたポリエステルやレーヨンなどの原綿と綿等を混紡した不織布がよい。また、混率は前記粉体を含有させた繊維の原綿を４０〜６０％程度とすると効果的である。
【００７８】
図１５は本発明の第１１実施例を示すものであり、ＣＤ等の光学式音声記録媒体の収納ケース４１内に配置して光学式音声記録媒体の移動を制限する台座トレー４２に自発分極を有する粉体がマイナスイオンを発生させるように励起する励起剤の粉体を混合させたセラミックスの粉体を混合した合成樹脂を用いたものである。
【００７９】
これら第１０実施例〜第１１実施例によれば、収納ケース内の該布地又は該セラミックスから発生するマイナスイオンが収納ケース内に充満し、保管されているＣＤ等の音声記録媒体の音響効果を改善する。したがって、これらの収納ケース４１内にＣＤ等の音声記録媒体を収納して保管した後、音声を再生すると、音色が原音の状態に近くなり、ダイナミックレンジ、Ｓ／Ｎ比、音の分離感が向上し、発音瞬間の音のスピードが速くなる。さらに、周波数レンジも拡大する。
【００８０】
また、音声記録媒体の静電気を低減することができるので、音声記録媒体に埃が付着するのを防止することができる。さらに、自発分極を有する粉体には界面活性作用があるため、いったん付着した汚れであっても容易に除去することができる。ただし、これらの実施例は、前記した第４実施例とは異なり、収納ケース４１内に加熱ヒータがないことから、聴感上の改善効果を得るまでの時間は長くかかる。条件にもよるが、効果が実感できるまでには、概ね１日以上ケース４１内に収納したまま放置しておく必要がある。
【００８１】
図１６は本発明の第１２実施例を示すものであり、オーディオアンプ、各種プレーヤー、スピーカ等の音響機器相互間を電気的に接続して、音声映像信号を伝送するケーブルや電源ケーブル５１の電気導体５２と外皮５６との間５４、５５に自発分極を有する粉体と、前記自発分極を有する粉体がマイナスイオンを発生させるように励起する励起剤の粉体とを混合して含有させた繊維又は樹脂を用いたものである。
【００８２】
ここで用いる糸状物は、前記セラミックス粉体を含有させた繊維の原綿と綿、絹、麻などの天然繊維または各種合成繊維とを混紡した糸が使われる。この場合の混率は前記セラミックスの粉体を含有させた繊維を４０％程度にすると効果が高い。また、合成樹脂を用いる場合、混率１５％程度で前記粉体を混合させるとよい。なお、ここで用いられる合成樹脂は発泡ポリウレタン等であるが、それに限定されるものではなく、各種の合成樹脂を使用することができる。
【００８３】
図１７は本発明の第１３実施例を示すものであり、オーディオアンプやスピーカ等の音響機器相互間を電気的に接続して、音声映像信号を伝送するケーブルや電源ケーブル５１の外皮５６をさらに覆うように、自発分極を有する粉体と、前記自発分極を有する粉体がマイナスイオンを発生させるように励起する励起剤の粉体とを混合して含有させた繊維を少なくとも一部に混合した糸からなるチューブ状織布５７をかぶせたケーブルである。
【００８４】
このチューブ状織布は前記セラミックス粉体を混合した合成樹脂からなる糸状物によって編組されたチューブとしてもよい。この場合は、前記セラミックス粉体を１５％程度の混率で合成樹脂に混合して用いると効果的である。また、このチューブ状織布は、既存のケーブルに対して後で着脱可能なものであってもよい。
【００８５】
図１８は本発明の第１４実施例を示すものであり、オーディオアンプや各種プレーヤー等の音響機器の電源ケーブルや屋内配線用ＶＶＦ電源ケーブルのシース５３、５８のいずれか一方または両方の材料として、自発分極を有する粉体と、前記自発分極を有する粉体がマイナスイオンを発生させるように励起する励起剤の粉体とを混合して含有させた合成樹脂を用いたものである。このシース材料として用いられる合成樹脂は、前記セラミックス粉体を混率１５％程度で混合させたポリ塩化ビニル等が主に使用できる。
【００８６】
図１９は本発明の第１５実施例を示すものであり、上記第１４実施例の別形態といえるものである。オーディオアンプや各種プレーヤー等の音響機器の電源ケーブルや屋内配線用ＶＶＦ電源ケーブルの外皮５８の表面層５９材料として、自発分極を有する粉体と、前記自発分極を有する粉体がマイナスイオンを発生させるように励起する励起剤の粉体とを混合して含有させた樹脂を用いたものである。
【００８７】
これら第１１実施例〜第１５実施例によれば、ケーブルの構成部材である該繊維や該セラミックスからマイナスイオンが発生して導体に特別な影響を及ぼすことから、音声映像の記録再生時のＳ／Ｎ比が向上して雑音が低減すると共に、ダイナミックレンジ、周波数レンジも拡大し、低音域および高音域においても歪の少ない録音再生が可能になる。さらに、トルマリンの知られている作用として酸化還元作用が導体の金属表面に働くため、微細な導体表面の酸化からもたらされる電気信号の劣化を防止することもできる。なお、光ファイバーによるデジタル信号伝送用ケーブルに同様の方法を講じることもでき、光伝送においても、より忠実度の高い伝送が期待できる。したがって、聴感および視覚上の改善を図ることができる。
【００８８】
図２０は本発明の第１６実施例を示すものであり、劇場やコンサートホール等の客席用椅子６１の座シート６２及び背もたれ部６３の表皮材６２ａ、６３ａ又はクッション材６２ｂ、６３ｂとして、自発分極を有する粉体がマイナスイオンを発生させるように励起する励起剤の粉体を混合させた布地を用いたものである。
【００８９】
本実施例によれば、表皮材６２ａ、６３ａ又はクッション材６２ｂ、６３ｂより発生するマイナスイオン効果により音響空間内の空気が清浄化され、音の伝播環境が良好となる。その結果、聴感上の音質が改善される。また、観客が椅子６１に着座すると人間の体温により表皮材６２ａ、６３ａ又はクッション材６２ｂ、６３ｂが暖められ、表皮材６２ａ、６３ａ又はクッション材６２ｂ、６３ｂから発生するマイナスイオンの量が一層増加することから、音の伝播環境はより一層良好となる。さらに、この椅子６１に着席した観客の精神と身体状況が良好な状態に変化するし、目的とする効果を得るために電気等の外部エネルギーを一切必要とせず、騒音も発生しないことから、完全な静音環境を実現することができる。また、この素材を使用した布地は放熱性にも優れており、夏期においては清涼感が得られ、冬期においては遠赤外線効果で温感が得られることが知られているため、空調設備の運転効率が向上する。したがって、これらの運転に伴い発生する騒音を低減することができる。
【００９０】
図２１は本発明の第１７実施例を示すものであり、劇場やコンサートホール等において使用する演奏者用椅子６４の座シート６５及び背もたれ部６６の表皮材６５ａ、６６ａ又はクッション材６５ｂ、６６ｂとして、自発分極を有する粉体がマイナスイオンを発生させるように励起する励起剤の粉体を混合させた布地を用いたものである。
【００９１】
本実施例によれば、前記第１５実施例に記載した作用効果と同様の作用効果が得られる。
【００９２】
図２２は本発明の第１８実施例を示すものであり、劇場やコンサートホール等の客席用椅子６１の背もたれ部６３を覆う座席カバー６７として、自発分極を有する粉体がマイナスイオンを発生させるように励起する励起剤の粉体を混合させた布地を用いたものである。
【００９３】
本実施例によれば、劇場やコンサートホールに設置されている既存の観客用椅子６１を一枚のカバー６７で覆うだけで前記第１６実施例に記載した作用効果とほぼ同様の作用効果を得ることができる。
【００９４】
図２３は本発明の第１９実施例を示すものであり、劇場やコンサートホール等において使用する演奏者用椅子６４の背もたれ部６６を覆う座席カバー６７として、自発分極を有する粉体がマイナスイオンを発生させるように励起する励起剤の粉体を混合させた布地を用いたものである。
【００９５】
本実施例によれば、劇場やコンサートホールに設置されている既存の演奏者用椅子６４を一枚のカバー６７で覆うだけで前記第１６実施例や第１７実施例に記載した作用効果とほぼ同様の作用効果を得ることができる。
【００９６】
【発明の効果】
本発明における請求項１の音響改善器具によれば、楽器収納容器内に楽器を保管している間にマイナスイオンが楽器に作用して楽器の音響効果を改善することができる。
【００９７】
本発明における請求項２の音響改善器具によれば、既存の楽器収納容器内に楽器を保管している間においても、マイナスイオンが楽器に作用して楽器の音響効果を改善するとことができる。
【００９８】
本発明における請求項３の音響改善器具によれば、楽器をカバーで覆っている間においてもマイナスイオンが楽器に作用して楽器の音響効果を改善することができる。
【００９９】
本発明における請求項４の音響改善器具によれば、短時間に音声映像記録媒体等の音響画質改善を図ることができる。
【０１００】
本発明における請求項５の音響機器によれば、Ｓ／Ｎ比が向上し、且つダイナミックレンジの拡大および周波数レンジの拡大が図られ、聴感上の改善が図られる。
【０１０１】
本発明における請求項６〜８の音響機器によれば、音声再生時のＳ／Ｎ比が向上し、且つダイナミックレンジの拡大および周波数レンジの拡大が図られ、聴感上の改善が図られる。
【０１０２】
本発明における請求項９の音響機器によれば、音声再生時のＳ／Ｎ比が向上し、且つダイナミックレンジの拡大および周波数レンジの拡大が図られ、聴感上の改善が図られる。
【０１０３】
本発明における請求項１０の音響改善器具によれば、音声映像記録媒体を収納容器内に保管している間にマイナスイオンが音声映像記録媒体に作用して音声映像記録媒体の音響効果を改善するとことができる。
【０１０４】
本発明における請求項１１の音響改善器具によれば、音声映像記録媒体を収納容器内に保管している間にマイナスイオンが音声映像記録媒体に作用して音声映像記録媒体の音響効果を改善するとことができる。
【０１０５】
本発明における請求項１２〜１５の音響改善ケーブルを音響機器の接続に用いると、Ｓ／Ｎ比が向上し、且つダイナミックレンジの拡大および周波数レンジの拡大が図られ、聴感上の改善が図られる。
【０１０６】
本発明における請求項１６及び１７の音響改善器具によれば、椅子の表面から出るマイナスイオンにより音の伝播環境が良好となり、音響空間について聴感上の改善が図られる。
【０１０７】
本発明における請求項１８の音響改善器具によれば、椅子カバーの表面から出るマイナスイオンにより音の伝播環境が良好となり、音響空間について聴感上の改善が図られる。
【図面の簡単な説明】
【図１】本発明の第１実施例であるバイオリンケースの蓋を開いた状態を示す外観図である。
【図２】本発明の第２実施例であるピアノカバーの使用状態を示す図である。
【図３】ピアノの音響改善効果を評価するために用いた音符である。
【図４】同上
【図５】本発明の第３実施例である鍵盤カバーの使用状態を示す図である。
【図６】本発明の第４実施例である音声映像記録媒体の音響画質改善器具の外観図である。
【図７】図６の中央部の縦断面図である。
【図８】ＣＤの音響改善効果例を示す評価表である。
【図９】同上
【図１０】本発明の第５実施例である音響機器用シャーシの外観図である。
【図１１】本発明の第６実施例であるスピーカーボックスの外観図である。
【図１２】本発明の第８実施例であるスピーカーボックスの外観図である。
【図１３】本発明の第９実施例であるヘッドフォンの外観図である。
【図１４】本発明の第１０実施例であるＣＤ収納容器の外観斜視図である。
【図１５】本発明の第１１実施例であるＣＤ収納容器の蓋を開いた容器体の平面図である。
【図１６】本発明の第１２実施例であるケーブルの断面斜視図である。
【図１７】本発明の第１３実施例であるケーブルの断面斜視図である。
【図１８】本発明の第１４実施例であるケーブルの断面及び外観図である。
【図１９】本発明の第１５実施例であるケーブルの断面及び外観図である。
【図２０】本発明の第１６実施例である客席用椅子の略図である。
【図２１】本発明の第１７実施例である演奏者用椅子の略図である。
【図２２】本発明の第１８実施例である客席用椅子カバーの略図である。
【図２３】本発明の第１９実施例である演奏者用椅子カバーの略図である。
【図２４】本発明に用いるトルマリンの模式図である。
【符号の説明】
１  楽器収納容器（バイオリン収納容器）
４  楽器固定材
５  緩衝材
７  楽器カバー（ピアノカバー）
１１  音響画質改善器具
３４  スピーカーボックス
３６  前面カバー
３７  ヘッドフォン
３８  イヤーパッド
４０  布状物
４１  収納容器（収納ケース）
４２  支持具（トレー）
４４  シート（マット）
５１  ケーブル
５２  電気導体
５３  樹脂
５４  糸状物
５６  外皮
６１、６４  椅子
６２、６５  座面
６３、６６  背もたれ
６７、６８  椅子カバー
【図１】
2004245974.tif 000003
【図２】
2004245974.tif 000004
【図３】
2004245974.tif 000005
【図４】
2004245974.tif 000006
【図５】
2004245974.tif 000007
【図６】
2004245974.tif 000008
【図７】
2004245974.tif 000009
【図８】
2004245974.tif 000010
【図９】
2004245974.tif 000011
【図１０】
2004245974.tif 000012
【図１１】
2004245974.tif 000013
【図１２】
2004245974.tif 000014
【図１３】
2004245974.tif 000015
【図１４】
2004245974.tif 000016
【図１５】
2004245974.tif 000017
【図１６】
2004245974.tif 000018
【図１７】
2004245974.tif 000019
【図１８】
2004245974.tif 000020
【図１９】
2004245974.tif 000021
【図２０】
2004245974.tif 000022
【図２１】
2004245974.tif 000023
【図２２】
2004245974.tif 000024
【図２３】
2004245974.tif 000025
【図２４】
2004245974.tif 000026